(57)【要約】【課題】録画開始直前の装置の状態をテレビジョン受像機を通して報知することで、ユーザの現在の意志を反映可能な録画再生装置を提供することである。【解決手段】テレビジョン受像機２０を制御可能な録画再生装置（ＨＤＤ一体型光ディスク装置）３０は、録画予約がある場合、予約録画を開始する所定時間前になると、テレビジョン受像機２０を録画再生装置３０が接続された外部入力に切り替える信号を出力し、その録画予約に関する情報を表示するための信号を出力する構成とする。【選択図】図１
2012182642.tif 000002
【特許請求の範囲】
【請求項１】
テレビジョン受像機を制御可能な録画再生装置において、
録画予約がある場合、予約録画を開始する所定時間前になると、前記テレビジョン受像機を本録画再生装置が接続された外部入力に切り替える信号を出力し、前記録画予約に関する情報を表示するための信号を出力することを特徴とする録画再生装置。
【請求項２】
前記予約録画を開始する所定時間前から、前記テレビジョン受像機を本録画再生装置が接続された外部入力に切り替える信号を出力するまでの間に、
前記テレビジョン受像機が選局しているチャンネルを取得し、本録画再生装置で該チャンネルを選局することを特徴とする請求項１記載の録画再生装置。
【請求項３】
前記予約録画を開始する所定時間前になると、前記テレビジョン受像機の表示部の表示がオフの場合、前記表示部の表示をオンにする信号を出力することを特徴とする請求項１又は２記載の録画再生装置。
【請求項４】
前記録画予約に関する情報を表示するための信号を出力するとともに、前記録画予約の修正を受け付ける信号を出力することを特徴とする請求項１〜３の何れかに記載の録画再生装置。
【請求項５】
前記テレビジョン受像機とＨＤＭＩ接続されることを特徴とする請求項１〜４の何れかに記載の録画再生装置。
【請求項６】
録画中の番組がある場合、前記録画予約に関する情報を表示するための信号を出力するとともに、前記録画中の番組の情報を出力することを特徴とする請求項１〜５の何れかに記載の録画再生装置。
【請求項７】
テレビジョン受像機と、該テレビジョン受像機を制御可能な録画再生装置とを含むテレビジョンシステムにおいて、
前記録画再生装置は、録画予約がある場合、予約録画を開始する所定時間前になると、前記テレビジョン受像機を本録画再生装置が接続された外部入力に切り替える信号を出力し、前記録画予約に関する情報を表示するための信号を出力することを特徴とするテレビジョンシステム。
【請求項８】
前記録画再生装置は、前記予約録画を開始する所定時間前から、前記テレビジョン受像機を本録画再生装置が接続された外部入力に切り替える信号を出力するまでの間に、
前記テレビジョン受像機が選局しているチャンネルを取得し、本録画再生装置で該チャンネルを選局することを特徴とする請求項７記載のテレビジョンシステム。
【請求項９】
前記録画再生装置は、前記予約録画を開始する所定時間前になると、前記テレビジョン受像機の表示部の表示がオフの場合、前記表示部の表示をオンにする信号を出力することを特徴とする請求項７又は８記載のテレビジョンシステム。
【請求項１０】
前記録画再生装置は、前記録画予約に関する情報を表示するための信号を出力するとともに、前記録画予約の修正を受け付ける信号を出力することを特徴とする請求項７〜９の何れかに記載のテレビジョンシステム。
【請求項１１】
前記録画再生装置と前記テレビジョン受像機はＨＤＭＩ接続されることを特徴とする請求項１〜４の何れかに記載のテレビジョンシステム。
【請求項１２】
前記録画再生装置は、録画中の番組がある場合、前記録画予約に関する情報を表示するための信号を出力するとともに、前記録画中の番組の情報を出力することを特徴とする請求項７〜１１の何れかに記載のテレビジョンシステム。
【発明の詳細な説明】
【技術分野】
【０００１】
本発明は、録画再生装置及びそれをテレビジョン受像機と接続したテレビジョンシステムに関する。
【背景技術】
【０００２】
近年、ＤＶＤ、ＢＤ（Blu-ray Disc）等の光ディスク装置やＨＤＤ装置などの録画再生装置が普及しており、より便利に使えるように様々な機能も付加されている。特に、テレビジョン受像機との接続にＨＤＭＩ（High-Definition Multimedia Interface）ケーブルが用いられるようになったことでテレビジョン受像機と連動させやすくなっており、色々な技術も提案されている。
【０００３】
例えば特許文献１には、Ｉ／Ｆをそれぞれ介してビデオレコーダ、２つのＤＶＤレコーダに録画予約情報及び録画装置情報を要求し、ビデオレコーダ、２つのＤＶＤレコーダより録画予約情報及び録画装置情報を受信し、これらの情報をテーブルを作成して記憶し、記憶した録画予約情報及び空き容量の情報に基づいて録画予約テーブルを作成して各録画装置に対する録画設定情報を管理するテレビジョン放送受信装置が開示されている。
【０００４】
例えば特許文献２には、優先順位テーブルに基づいて、第１の録画機器を選択する第１の選択部と、録画される番組に対して、選択される第１の録画機器の残容量が不足しているか否かを判断する第１の判断部と、検出される残量が不足していると判断されたときに、接続されている録画機器を検出する検出部と、検出される録画機器及び優先順位テーブルに基づいて、選択する録画機器の有無を判断する第２の判断部と、選択する録画機器があると判断されるときに、優先順位テーブルに基づいて、第２の録画機器を選択する第２の選択部と、を具備した録画制御装置が開示されている。
【０００５】
例えば特許文献３には、複数の録画機器と表示装置とがＨＤＭＩ接続され、表示装置に録画予約要求がなされたときに、複数の録画機器の空き容量や録画予約状況から、録画予約可能な録画機器を検索して録画予約を行う録画予約システムが開示されている。
【０００６】
例えば特許文献４には、表示処理部の制御により表示された録画タイトルを選択し、解読処理部により録画タイトルデータの文字列に含まれる録画日時や録画チャンネルなどを解読して数値に変換し、変換された数値データをもとに予約録画設定部が新規の予約録画の設定を行い、残量検出部によりＤＶＤディスクの録画残量の不足を検出し、報知処理部がこれを報知し、制御部がＶＴＲテープへの切換えを制御して録画を開始する記録再生装置が開示されている。
【先行技術文献】
【特許文献】
【０００７】
【特許文献１】特開２００９−１７０４８号公報
【特許文献２】特開２００８−８５６７５号公報
【特許文献３】特開２００８−６７０２５号公報
【特許文献４】特開２００６−２１１５９２号公報
【発明の概要】
【発明が解決しようとする課題】
【０００８】
ところで、録画予約した時点での記録媒体の残容量は、録画開始直前の残容量と異なることが多く、録画予約した番組が記録媒体の残容量に収まるかどうかは録画開始直前にならないと確定しない。したがって、録画開始直前に記録媒体の残容量が足りない場合、そのままでは録画できなかったり、録画済みの番組が自動的に消去されたり、自動的に他の記録媒体に録画されたりする。
【０００９】
また、録画予約した時点では興味のあった番組でも、録画開始直前の時点では興味がなくなっていることもあり、この場合、通常通り録画が行われても、結局ユーザは録画した番組を視聴せずに消去することになる。したがって、この場合は無駄な録画をしたことになる。ユーザが間違った番組を録画予約した場合も同様である。
【００１０】
これらは何れも録画再生装置が決められた手順に沿って動作しているものであり装置自体に問題があるわけではないが、ユーザの気づかないうちに実行されるため、ユーザは後から気づくことになり、録画を開始する時点でのユーザの意志を反映させることはできない。
【００１１】
本発明は、録画開始直前の装置の状態をテレビジョン受像機を通して報知することで、ユーザの現在の意志を反映可能な録画再生装置を提供することを目的とする。また、その録画再生装置をテレビジョン受像機と接続したテレビジョンシステムを提供することも目的とする。
【課題を解決するための手段】
【００１２】
上記目的を達成するために本発明は、テレビジョン受像機を制御可能な録画再生装置において、録画予約がある場合、予約録画を開始する所定時間前になると、前記テレビジョン受像機を本録画再生装置が接続された外部入力に切り替える信号を出力し、前記録画予約に関する情報を表示するための信号を出力することを特徴とする。
【００１３】
上記の録画再生装置において、前記予約録画を開始する所定時間前から、前記テレビジョン受像機を本録画再生装置が接続された外部入力に切り替える信号を出力するまでの間に、前記テレビジョン受像機が選局しているチャンネルを取得し、本録画再生装置で該チャンネルを選局することが望ましい。
【００１４】
また上記の録画再生装置において、前記予約録画を開始する所定時間前になると、前記テレビジョン受像機の表示部の表示がオフの場合、前記表示部の表示をオンにする信号を出力することが望ましい。
【００１５】
また上記の録画再生装置において、前記録画予約に関する情報を表示するための信号を出力するとともに、前記録画予約の修正を受け付ける信号を出力することが望ましい。
【００１６】
また上記の録画再生装置において、前記テレビジョン受像機とＨＤＭＩ接続されることが望ましい。
【００１７】
また上記の録画再生装置において、録画中の番組がある場合、前記録画予約に関する情報を表示するための信号を出力するとともに、前記録画中の番組の情報を出力することが望ましい。
【００１８】
また本発明は、テレビジョン受像機と、該テレビジョン受像機を制御可能な録画再生装置とを含むテレビジョンシステムにおいて、前記録画再生装置は、録画予約がある場合、予約録画を開始する所定時間前になると、前記テレビジョン受像機を本録画再生装置が接続された外部入力に切り替える信号を出力し、前記録画予約に関する情報を表示するための信号を出力することを特徴とする。
【００１９】
上記のテレビジョンシステムにおいて、前記録画再生装置は、前記予約録画を開始する所定時間前から、前記テレビジョン受像機を本録画再生装置が接続された外部入力に切り替える信号を出力するまでの間に、前記テレビジョン受像機が選局しているチャンネルを取得し、本録画再生装置で該チャンネルを選局することが望ましい。
【００２０】
また上記のテレビジョンシステムにおいて、前記録画再生装置は、前記予約録画を開始する所定時間前になると、前記テレビジョン受像機の表示部の表示がオフの場合、前記表示部の表示をオンにする信号を出力することが望ましい。
【００２１】
上記のテレビジョンシステムにおいて、前記録画再生装置は、前記録画予約に関する情報を表示するための信号を出力するとともに、前記録画予約の修正を受け付ける信号を出力することが望ましい。
【００２２】
上記のテレビジョンシステムにおいて、前記録画再生装置と前記テレビジョン受像機はＨＤＭＩ接続されることが望ましい。
【００２３】
上記のテレビジョンシステムにおいて、前記録画再生装置は、録画中の番組がある場合、前記録画予約に関する情報を表示するための信号を出力するとともに、前記録画中の番組の情報を出力することが望ましい。
【発明の効果】
【００２４】
本発明によると、録画再生装置は、録画予約がある場合、予約録画を開始する所定時間前になると、テレビジョン受像機を録画再生装置が接続された外部入力に切り替える信号を出力し、その録画予約に関する情報を表示するための信号を出力するので、録画開始直前の録画再生装置の状態をテレビジョン受像機を通して報知することができる。これにより、ユーザは予約内容を修正する等によって、現在の意志を反映させることができる。
【００２５】
また本発明によると、録画予約に関する情報を表示した際に、録画予約の内容を修正可能とすることで、容易にユーザの現在の意志を反映可能としている。
【００２６】
また本発明によると、録画再生装置はテレビジョン受像機で選局しているチャンネルと同じチャンネルを選局することで、テレビジョン受像機が外部入力に切り替わる前後で同じチャンネルの画面が表示されるので、視聴中の場合であってもユーザに違和感を与えることがない。
【図面の簡単な説明】
【００２７】
【図１】本発明のテレビジョンシステムの構成を示すブロック図である。
【図２】本発明のＨＤＤ一体型光ディスク装置における録画に関する動作を示すフロ
【図３】図２に続くフローチャートである。
【図４】本発明の録画予約に関する情報をＯＳＤ表示した画面の一例である。
【図５】本発明の録画中の番組の情報をＯＳＤ表示した画面の一例である。
【発明を実施するための形態】
【００２８】
本発明のテレビジョンシステムは少なくとも１台のテレビジョン受像機と１台の録画再生装置とが接続されてなるシステムである。以下では、録画再生装置の一例として、ハードディスクドライブ（ＨＤＤ）一体型光ディスク装置を用いて説明する。
【００２９】
図１は、本発明のテレビジョンシステムの構成を示すブロック図である。テレビジョンシステム１０は、デジタル放送を受信可能なテレビジョン受像機２０と、テレビジョン受像機２０に接続された外部機器であるデジタル放送を受信可能なＨＤＤ一体型光ディスク装置３０と、テレビジョン受像機２０とＨＤＤ一体型光ディスク装置３０とにそれぞれ接続されたアンテナ６０、６１とを含んでいる。テレビジョン受像機２０とＨＤＤ一体型光ディスク装置３０との接続は、映像信号及び音声信号を一方向又は双方向に、制御信号を双方向に伝送できるインターフェースであればよく、ここではＨＤＭＩ端子を用いるものとする。また、ＨＤＤ一体型光ディスク装置３０はリモコン５０によって操作可能である。
【００３０】
ＨＤＭＩ規格では、ＣＥＣ（Consumer Electronics Control）と呼ばれる機器制御信号と制御プロトコルが規格化されており、映像、音声の伝送のみならず、ＨＤＭＩケーブルで接続されている機器の制御も行うことが可能である。例えば、テレビジョン受像機と録画機器とをＨＤＭＩ接続している場合、テレビジョン受像機から録画機器へ直接録画を指示したり、逆に録画機器からテレビジョン受像機へ電源オン／オフを指示したりすることが可能となっている。
【００３１】
次に、ＨＤＤ一体型光ディスク装置３０の構成を説明する。ＨＤＤ一体型光ディスク装置３０は、アンテナ６１で受信したテレビ放送信号を復調、デジタル化するチューナ３１と、チューナ３１やテレビジョン受像機２０から受け取った画像音声データや制御データを分離したり、逆に出力する画像音声データや制御データを結合したり、画像データを復号化したり、画像音声データをＭＰＥＧ２等に準拠して圧縮符号化したり、ＨＤＤ記録再生部又はＢＤ（Blu-ray Disc）／ＤＶＤ記録再生部で再生された圧縮された画像データを伸長復号したりすることで、入出力データを処理するデータ処理部３２と、データ処理部３２から受け取った圧縮された画像音声データをＨＤＤに記録したり、ＨＤＤに記録されたデータを再生したりするＨＤＤ記録再生部３３と、データ処理部３２から受け取った圧縮された画像音声データを挿入されたＢＤ又はＤＶＤに記録したり、ＢＤ又はＤＶＤに記録されたデータを再生したりするＢＤ／ＤＶＤ記録再生部３４と、録画予約をはじめとする各種設定値をテレビジョン受像機２０の表示部（不図示）の一部に表示しながら設定できるようにするＯＳＤ（On Screen Display）部３５と、ＲＯＭやＲＡＭからなるメモリ３６と、リモコン５０からの信号を受信するリモコン受信部３７と、テレビジョン受像機２０が接続される外部Ｉ／Ｆ３８と、各種操作キーを有する操作部３９と、ＶＦＤ（Vacuum Fluorecent Displays）等の表示部４０と、ＨＤＤ一体型光ディスク装置３０の各部を制御する制御部４１とを備えている。
【００３２】
また、ＨＤＤ一体型光ディスク装置３０の制御部４１は、録画予約がある場合、予約録画を開始する所定時間前になると、テレビジョン受像機２０をＨＤＤ一体型光ディスク装置３０が接続された外部入力に切り替える信号を出力し、その録画予約に関する情報を表示するための信号を出力する制御も行う。以下に、この制御について詳しく説明する。
【００３３】
図２は、ＨＤＤ一体型光ディスク装置３０における録画に関する動作を示すフローチャートであり、図３は図２に続くフローチャートである。図２と図３とはＡで繋がっている。ここではＨＤＤ一体型光ディスク装置３０のＨＤＤに録画する場合を例に説明する。
【００３４】
まず、ステップＳ１０において、定期的又は適宜、制御部４１は、録画予約があるか否かを判別する。録画予約がある場合、ステップＳ１１へ進んで制御部４１は予約録画を開始する所定時間前か否か判別する。所定時間前とは、ユーザが予約内容を確認して不備があった場合に修正できる時間であればよく、例えば１５分間や３０分前とすることが好ましい。この時間は製造時に予め設定され、設定メニュー等でユーザが任意に変更できるものとする。
【００３５】
所定時間前になるとステップＳ１１からステップＳ１２へ進んで、制御部４１は録画のためのＨＤＤの空き容量（残量）が足りるか否か判別する。ＨＤＤの残量が足りない場合、ステップＳ１３へ進んで予め設定された手法によって録画できるようにする。その手法としては、例えば、ＨＤＤに蓄積されている番組のうち、視聴済みで最も録画日時の古い番組から順に所定量消去することで残量を確保する手法、録画する画質のレベルを所定段階落として現在の空き容量に収まるようにする手法などがある。一方、ステップＳ１２でＨＤＤの残量が足りている場合、ステップＳ１４へ進む。
【００３６】
次に、ステップＳ１２又はステップＳ１３からステップＳ１４へ進んで、制御部４１はテレビジョン受像機２０がオフ（スタンバイ状態）であるか否かを判別する。ここでは、少なくともテレビジョン受像機２０の表示部の表示がオフであるか否かを判別できればよい。
【００３７】
ステップＳ１４においてテレビジョン受像機２０がオフの場合、ステップＳ１５へ進んで外部Ｉ／Ｆ３８からテレビジョン受像機２０をオンにする信号を出力する。一方、ステップＳ１４においてテレビジョン受像機２０がオンの場合、ステップＳ１６へ進む。
【００３８】
次に、ステップＳ１４又はステップＳ１５からステップＳ１６へ進んで、制御部４１はテレビジョン受像機が選局しているチャンネル（チャンネルの番号）を取得する。そして、ステップＳ１７へ進んでＨＤＤ一体型光ディスク装置３０は取得したチャンネルを選局する。
【００３９】
次に、ステップＳ１８へ進んで外部Ｉ／Ｆ３８からテレビジョン受像機２０をＨＤＤ一体型光ディスク装置３０が接続された外部入力に切り替える信号を出力する。これにより、テレビジョン受像機２０の表示部は選局していたチャンネルからＨＤＤ一体型光ディスク装置３０で選局しているチャンネルの表示に切り替わる。ただし、ステップＳ１７でＨＤＤ一体型光ディスク装置３０はテレビジョン受像機２０で選局しているチャンネルと同じチャンネルを選局するようにしているので、テレビジョン受像機２０が外部入力に切り替わる前後で同じチャンネルの画面が表示される。
【００４０】
次に、ステップＳ１９へ進んで外部Ｉ／Ｆ３８からその録画予約に関する情報をＯＳＤ表示するための信号を出力する。図４に、録画予約に関する情報をＯＳＤ表示した画面７０の一例を示す。画面７０の右下の予約タブの中に、録画予約に関する情報として、録画の開始時間、録画する番組名、録画する番組の詳細な内容、ＨＤＤの残量が記されている。なお、録画予約に関する情報としては少なくともこれらのうち１つの情報が記されていればよい。番組名や番組の詳細な内容はＥＰＧ（電子番組表）から取り出すことができる。図４のＯＳＤ表示の位置は製造時に予め設定され、設定メニュー等でユーザが任意に変更できるものとする。
【００４１】
次に、ステップＳ２０へ進んで外部Ｉ／Ｆ３８からその録画予約について修正を受け付ける信号を出力する。これにより、ＯＳＤ表示７２で修正を「しない」又は「する」が選択可能に表示される。ユーザはリモコン５０の矢印キーでカーソルを移動させて決定キーで決定できる。
【００４２】
次に、ステップＳ２１へ進んで制御部４１は録画中の番組があるか否かを判別する。録画中の番組がある場合、ステップＳ２２へ進んで外部Ｉ／Ｆ３８からその録画中の番組の情報を出力する。
【００４３】
図５に、録画中の番組の情報をＯＳＤ表示した画面８０の一例を示す。画面７０においてユーザにより矢印キーが操作されることで予約タブから録画中タブに切り替わり、画面８０の表示となる。画面８０の右下の録画中タブの中に、録画中の番組の情報として、録画の開始した時間、開始時間の頭に付加された録画中であることを示す赤丸印、録画中の番組名、録画中の番組の詳細な内容、現在のＨＤＤの残量が記されている。なお、録画中の番組の情報としては少なくともこれらのうち１つの情報が記されていればよい。なお、ステップＳ２１において録画中の番組がない場合、録画中タブは表示しないか、録画中タブを選択できないようにすればよい。
【００４４】
次に、ステップＳ２２からステップＳ２３へ進んで、ユーザによりＯＳＤ表示７２の「修正しない」が選ばれたか否かを判別する。「修正しない」が選ばれた場合、予約内容に間違いはなかったと判断し、ステップＳ２４へ進んでテレビジョン受像機２０を元の状態に戻す信号を出力する。具体的には、テレビジョン受像機２０の選局を元に戻す信号を出力し、さらにテレビジョン受像機２０を強制的にオンにしていた場合は、テレビジョン受像機２０をオフにする信号を出力する。これにより、テレビジョン受像機２０は本フローを開始する前の状態に戻る。
【００４５】
一方、ステップＳ２３で「修正しない」が選ばれなかった場合、ステップＳ２５へ進んで「修正する」が選ばれたか否かを判別する。ステップＳ２５で「修正する」が選ばれた場合、ステップＳ２６へ進んでその予約内容を修正（取り消しも含む）する画面に切り替え、修正を受け付ける処理に移行する。
【００４６】
一方、ステップＳ２５で「修正する」が選ばれなかった場合、ステップＳ２７へ進んで、テレビジョン受像機２０が元からオンであった場合は録画開始５分後にテレビジョン受像機２０の選局を元に戻す信号を出力し、テレビジョン受像機２０を強制的にオンにしていた場合はテレビジョン受像機２０の選局を元に戻す信号を出力し、続けてテレビジョン受像機２０をオフにする信号を出力する。これにより、テレビジョン受像機２０は本フローを開始する前の状態に戻る。なお、ステップＳ２７の処理は録画開始５分後に限定されるわけではなく、録画開始の数分後、録画開始の数分前、ＯＳＤ表示７２の数分後などに行ってもよい。
【００４７】
このように、ＨＤＤ一体型光ディスク装置３０は、録画予約がある場合、予約録画を開始する所定時間前になると、テレビジョン受像機２０をＨＤＤ一体型光ディスク装置３０が接続された外部入力に切り替える信号を出力し、その録画予約に関する情報を表示するための信号を出力するので、録画開始直前のＨＤＤ一体型光ディスク装置３０の状態をテレビジョン受像機２０を通して報知することができる。
【００４８】
さらに、録画予約に関する情報を表示した際に、録画予約の内容を修正可能としたので、ユーザの現在の意志を反映可能である。なお、ステップＳ２０、Ｓ２３、Ｓ２５、Ｓ２６を省略した場合でも、通常の録画予約設定の手順で予約内容を修正可能である。
【００４９】
さらに、ＨＤＤ一体型光ディスク装置３０はテレビジョン受像機２０で選局しているチャンネルと同じチャンネルを選局することで、テレビジョン受像機２０が外部入力に切り替わる前後で同じチャンネルの画面が表示されるので、視聴中の場合であってもユーザに違和感を与えることがない。
【００５０】
上記実施形態ではＨＤＤへの録画を例に説明したが、録画先が光ディスクの場合、書き換え可能な光ディスクのときには図２及び図３の全ての処理を適用でき、書き換え不可能な光ディスクのときにはステップＳ１３で録画済みの番組を消去する処理を除いて適用できる。
【産業上の利用可能性】
【００５１】
本発明の録画再生装置は、光ディスク装置やハードディスク装置等の録画再生装置に利用することができ、また、複数の記録再生部を１つの筐体に組み込んだ複合機、例えばＨＤＤ一体型光ディスク装置等にも利用することができる。
【符号の説明】
【００５２】
１０  テレビジョンシステム
２０  テレビジョン受像機
３０  ＨＤＤ一体型光ディスク装置（録画再生装置）
５０  リモコン
６０、６１  アンテナ
【図１】
2012182642.tif 000003
【図２】
2012182642.tif 000004
【図３】
2012182642.tif 000005
【図４】
2012182642.tif 000006
【図５】
2012182642.tif 000007